(57)【要約】【課題】送受信信号間の干渉を防止し、携帯端末の高速データ送信時の消費電力を軽減する中継方法を提供する。【解決手段】システムで定められる所定の上りリンクの帯域幅の一部を用いて携帯端末からリピータへ装置の送信を行い、リピータ装置では携帯端末からのＯＦＤＭ信号をフィルタするバンドパスフィルタを備えたＯＦＤＭ信号受信部で抽出し、ＯＦＤＭ周波数変換部では携帯端末からの送信に用いた周波数領域以外の周波数領域に周波数変換するとともに帯域拡散を行い、周波数選択性フェージングに対して強いＯＦＤＭ信号を生成して基地局に送信する。これにより、携帯端末の送信電力を抑え、アップリンクの高速データ伝送を実現する。【選択図】図２
2011004419.tif 000002
【特許請求の範囲】
【請求項１】
情報端末と基地局の間で信号を中継する中継方法であって、
前記情報端末が前記基地局に対して上りリンクのアクセス要求を送信する第一のステップと、
前記基地局が前記情報端末近隣のリピータ装置を選択する第二のステップと、
前記基地局が前記情報端末の上りリンクのアクセス許可を送信する第三のステップと、
前記基地局が前記選択されたリピータ装置に対して前記情報端末の送信信号の信号中継を指示する第四のステップと、
前記基地局が前記情報端末および前記リピータ装置に対して情報端末から中継局への伝送に用いる第一のアップリンク周波数及びリピータ装置から基地局への伝送に使用する複数の周波数領域に関する第二のアップリンク周波数を含むパラメータを送信する第五のステップと、
前記情報端末が前記第一のアップリンク周波数で前記リピータ装置に対してトラフィックデータを送信する第六のステップと、
前記リピータ装置が受信した信号を前記第二のアップリンク周波数に変換して前記基地局に対して送信する第七のステップと、
前記基地局が受信したリピータ装置から信号を受信して前記情報端末のトラフィックデータを再生する第八のステップと、
を含むことを特徴とする中継方法。
【発明の詳細な説明】
【技術分野】
【０００１】
本発明は、情報端末から基地局への送信時の消費電力を低減する中継方法に関する。
【背景技術】
【０００２】
情報端末（以下、「携帯端末」を例に説明する）と基地局間のデータ通信において、従来、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）通信方式は、携帯端末と基地局間のデータ通信において、マルチパス環境に強く、比較的簡単な信号処理で高速データ伝送を実現することが可能な通信方式である。
【０００３】
また、上記ＯＦＤＭ通信方式は、基地局から携帯端末への下りリンクのデータ伝送のための通信方式として有望視されている。
【０００４】
一方、携帯端末から基地局への上りリンクのデータ伝送に適用する場合、ＯＦＤＭ信号は、時間波形の振幅変動が大きく、ピーク・アベレージ・パワーレシオが大きくなるという欠点があり、電波伝搬条件の不良な通信環境、すなわち減衰の大きい条件や信号歪の大きい環境では、消費電力に対する制限の大きい携帯端末には、負担が大きくなるという懸念がある。
【０００５】
さらに、次世代セルラシステムではセルの半径を小さくすることなく、現在のシステムで得られている伝送速度の１００倍もの伝送速度を実現させるという要求があり、送信電力も大きくならざるをえない。
【０００６】
すなわち、携帯端末の送信時の消費電力を抑えつつ、電波伝搬条件の不良な通信環境においても、上りリンク（アップリンク）での高速伝送を実現するという要求に応える必要がある。
【０００７】
上述したような課題を解決する一方法として携帯端末と基地局間で信号を中継するリピータ装置の利用が有効である。
【０００８】
以下、従来のリピータ装置を組み入れた無線通信システムの概要及びそのリピータ装置の動作について簡単に説明する。
【０００９】
図９（ａ）は、従来のリピータ装置を組み入れた無線通信システムにおけるアップリンク伝送の概要を示す図である。
【００１０】
また、図９（ｂ）は、従来のリピータ装置で使用する送受信帯域を示す図である。
【００１１】
図９（ａ）に示すように、携帯端末８０１は、アップリンクのデータを伝送する場合、伝送路８０４を使用してリピータ装置８０２に送信し、受信したリピータ装置８０２は、伝送路８０５を使用して、基地局８０３に送信する。
【００１２】
また、図９（ｂ）に示すように、携帯端末８０１は、このアップリンク用の送信帯域幅８００の全周波数帯域を使用して、リピータ装置８０２にアップリンク信号を送信する。
【００１３】
そして、リピータ装置８０２は、そのまま全周波数帯域を使用して、同様に受信した信号を電力増幅して基地局８０３にアップリンク信号を送信している。
【００１４】
上述したように、携帯端末８０１からの送信信号を電力増幅し、基地局８０３に伝送する中継の役目を果たすリピータ装置８０２を導入することにより、携帯端末８０１とリピータ装置８０２の距離を短くすることが可能なため、携帯端末８０１の送信時の消費電力を抑えることができる。
【先行技術文献】
【非特許文献】
【００１５】
【非特許文献１】前山他、「干渉抑圧機能を搭載したＣＤＭＡ用リピータ装置の開発」、電子情報通信学会技報ＳＳＴ２００１−１１０
【発明の概要】
【発明が解決しようとする課題】
【００１６】
しかしながら、ＦＤＤ（Ｆｒｅｑｕｅｎｃｙ  Ｄｉｖｉｓｉｏｎ  Ｄｕｐｌｅｘ）のセルラシステムでは、図９（ｂ）に示すように、リピータ装置８０２は、送受信を同時に同じ周波数を用いて行う必要があるため、送受信の信号干渉により、出力信号が入力側に回り込んで動作が不安定になるという問題がある。
【００１７】
また、上記出力信号の入力側に回り込みを解決するためには、強い指向性アンテナなどを用いて信号を分離する方法があるが、根本的な対策を行うには技術的に困難な面がある。
【００１８】
さらに、上記記載の非特許文献１には、上記問題点を解決するための技術が開示されているが、この非特許文献に開示されている技術では、送受信信号間の干渉除去のための複雑な仕組みが必要である。
【００１９】
そこで、本願発明は、上記問題点に鑑みて提案されたものであって、複雑な構成を必要とせず、送受信号信間の干渉を防止し、携帯端末の送信時の消費電力を軽減するＯＦＤＭ信号を用いたアップリンク用の中継方法を提供するものである。
【課題を解決するための手段】
【００２０】
上述した課題に鑑み、本発明の中継方法は、情報端末と基地局の間で信号を中継する中継方法であって、
前記情報端末が前記基地局に対して上りリンクのアクセス要求を送信する第一のステップと、
前記基地局が前記情報端末近隣のリピータ装置を選択する第二のステップと、
前記基地局が前記情報端末の上りリンクのアクセス許可を送信する第三のステップと、
前記基地局が前記選択されたリピータ装置に対して前記情報端末の送信信号の信号中継を指示する第四のステップと、
前記基地局が前記情報端末および前記リピータ装置に対して情報端末から中継局への伝送に用いる第一のアップリンク周波数及びリピータ装置から基地局への伝送に使用する複数の周波数領域に関する第二のアップリンク周波数を含むパラメータを送信する第五のステップと、
前記情報端末が前記第一のアップリンク周波数で前記リピータ装置に対してトラフィックデータを送信する第六のステップと、
前記リピータ装置が受信した信号を前記第二のアップリンク周波数に変換して前記基地局に対して送信する第七のステップと、
前記基地局が受信したリピータ装置から信号を受信して前記情報端末のトラフィックデータを再生する第八のステップと、
を含むことを特徴とする。
【発明の効果】
【００２１】
以上説明したように、本発明の中継方法によれば、リピータ装置の入力側の周波数である第一のアップリンク周波数と出力側の周波数である第二のアップリンク周波数をシステムで定められた所定の上りリンク帯域幅内で互いに異なるようにすることによって、送受信信号間の干渉を防ぎ、複雑な処理を行うことなくの安定性を向上することが可能となる。これにより、携帯端末の送信電力を低減し、携帯端末の電力消費を軽減することができる。さらに、第二のアップリンク周波数の帯域幅を第一のアップリンク周波数の帯域幅より広くすることによって、電波伝搬条件の良くない環境においてもダイバーシティ効果によって伝送品質を向上することができる。
【図面の簡単な説明】
【００２２】
【図１】第１の実施形態に係るアップリンク用リピータ装置を用いた無線通信システムの概要を示す概念図である。
【図２】第１の実施形態に係るリピータ装置のブロック図である。
【図３】第１の実施形態に係るリピータ装置で使用する入出力の帯域幅の関係を示す図である。
【図４】（ａ）は、ＯＦＤＭ信号受信部２０２に代わるブロック図であり、（ｂ）は、ＯＦＤＭ周波数変換部２０３に代わるブロック図である。
【図５】第１の実施形態に係るアップリンク用リピータ装置を用いた無線通信システムの動作を示すフロー図である。
【図６】第２の実施形態に係るアップリンク用リピータ装置を用いた無線通信システムの概要を示す概念図である。
【図７】第２の実施形態に係るリピータ装置のブロック図である。
【図８】第２の実施形態に係るアップリンク用リピータ装置を用いた無線通信システムの動作を示すフロー図である。
【図９】（ａ）は、従来のリピータ装置を組み入れた通信システムの概要を示す図であり、（ｂ）は、従来のリピータで使用する送受信帯域を示す図である。
【発明を実施するための形態】
【００２３】
以下、添付図面を参照して、本発明に係る中継方法を適用した通信システム及びこれに使用するリピータ装置の実施形態を詳細に説明する。
【００２４】
＜第１の実施形態の説明＞
図１は、本発明に係る第１の実施形態の無線通信システムにおいてアップリンク用リピータ装置を用いた動作の概要を示す概念図である。
【００２５】
また、図２〜図４は、本発明に係る第１の実施形態のリピータ装置であって、図中、同一の符号を付した部分は同一物を表すものとする。
【００２６】
まず、本発明に係る無線通信システムの概念について、図１を用いて、以下に説明する。図１に示すように、本無線通信システムは、例えば、携帯端末１０４がビル等の公共施設１０２の中にあり、外部の基地局１０１に対して、電波伝搬条件が悪く、携帯端末１０４の送信パワーでは高速のトラフィックデータをアップリンクで送信することが困難である場合において、当該施設内のリピータ装置１０３を経由することにより、携帯端末１０４から基地局１０１へのトラフィックデータの高速伝送を可能とし、また、携帯端末１０４の送信時の消費電力を低く抑えることを可能とするものである。
【００２７】
まず始めに、携帯端末１０４は、低速の制御チャネル信号を使用し、伝送路１０５を介して基地局１０１とのアクセス要求を基地局１０１に伝送する。アクセス要求を受けた基地局１０１は、全体の伝搬損失、トラフィック量から判断し、問題なければ、近隣の適切なリピータ装置１０３を選択し、この選択されたリピータ装置１０３に対して、下りリンクの伝送路１０８を利用して、携帯端末１０４に対する中継要求を伝送する。基地局１０１は、携帯端末１０４に対して伝送路１０６を利用してアクセス許可を送信する。
【００２８】
基地局１０１からのアクセス許可を受信した携帯端末１０４は、上記基地局１０１から制御情報を受信し、携帯端末１０４からリピータ装置１０３への送信に用いる第一のアップリンク周波数等のパラメータ抽出を行い、前記第一のアップリンク周波数を用いて、トラフィックデータのアップリンク伝送を行う。
【００２９】
また、中継要求を受けたリピータ装置１０３は、上記基地局１０１からの制御情報を受信し、携帯端末１０４からリピータ装置１０３への送信に用いる第一のアップリンク周波数およびリピータ装置１０３から基地局１０１への送信に用いる第二のアップリンク周波数等のパラメータ抽出及び設定を行い、携帯端末１０４から基地局１０１へのアップリンクの中継を行う。
【００３０】
このようにして、携帯端末１０４、リピータ装置１０３及び基地局１０１のアップリンクの伝送ルートが確立されて、携帯端末１０４のトラフィックデータは伝送路１０９および伝送路１０７を経て基地局に伝送することができる。上記手順については、リピータ装置の詳細な動作フローで後述するものとする。
【００３１】
ここで、携帯端末１０４からリピータ装置１０３への伝送において、携帯端末１０４は、後述するように（図３参照）、無線通信システムで定められる所定の上りリンクの帯域幅Ｗを等分割し（例えば、５分割する）、分割した周波数領域の１つ、中心周波数がｆｃ、帯域幅がＷ／５（ｆ０）の最下位の周波数領域を使用してＯＦＤＭ信号によりデータ伝送を行う。
【００３２】
そして、リピータ装置１０３から基地局１０１への信号伝送において、リピータ装置１０３は、シフト周波数ｆ１〜ｆ４を使用して、上記所定の上りリンクの帯域幅Ｗの内、残りの各４つの周波数領域（全体の帯域幅は４／５×Ｗ）に周波数シフトし、それぞれ帯域幅ｆ０ごとに離れた前記４つの周波数帯域を有する上記ＯＦＤＭ信号を生成し、生成された４つのＯＦＤＭ信号を合成・増幅して基地局１０１にデータ伝送する。
【００３３】
これにより、携帯端末１０４は高速なトラフィックデータを小さな送信電力でリピータ装置１０３に送信し、リピータ装置によって大きな送信電力とフェージング耐性を持った信号に変換して、基地局１０１に送信することができる。
【００３４】
また、本リピータ装置を用いるシステムでは、上記説明したように、携帯端末の送信帯域を従来技術のようにシステムで定められる所定の周波数帯域全体を使用せずに、リピータの入力側の周波数領域と送信側の周波数領域を異なるようにすることによって、送受信信号間の干渉を防ぐとともに、携帯端末１０４の送信帯域幅を許容の通信速度を確保する程度に狭めて送信時の電力消費の低減を図っている。さらに、リピータ装置１０３の送信帯域幅を携帯端末１０４の送信帯域幅より広くすることにより、リピータ装置１０３と基地局１０１の間の無線伝送路におけるフェージングへの耐性を高めることができる。
【００３５】
本実施形態では、無線通信システムで定められる所定の上りリンクの帯域幅を、携帯端末１０４からリピータ装置１０３への送信に用いる第一のアップリンク周波数と、リピータ装置１０３から基地局１０１への送信に用いる第二のアップリンク周波数に分割したが、前記所定の上りリンクの帯域幅の全てが必ずしも前記携帯端末に関する第一のアップリンク周波数と第二のアップリンク周波数に割り当てられる必要はなく、前記帯域幅のうち別の部分は同時に他の情報端末に割り当てて使用することも可能である。
【００３６】
次に、本実施形態のリピータ装置１０３の構成および動作について説明する。図２は、本実施形態のリピータ装置１０３のブロック図である。また、図３は、本実施形態のリピータ装置で使用する入力側の周波数帯域幅及び出力側の周波数帯域幅の関係を示す図である。
【００３７】
図２によれば、本実施形態のリピータ装置１０３は、携帯端末１０４からの送信波を受ける受信アンテナ２００と、帯域幅が無線通信システムで定められる所定の上りリンクの帯域幅Ｗを所定数に分割した帯域幅（上述したように、Ｗを５分割したもの、すなわちＷ／５）、中心周波数がｆｃであるバンドパスフィルタを備えるＯＦＤＭ信号受信部２０２と、残りの４Ｗ／５の帯域幅を使用して、ＯＦＤＭ信号から複数個の異なる周波数領域にシフトして合成するＯＦＤＭ周波数変換部２０３と、この変換されたＯＦＤＭ信号を増幅し送信するアップリンク送信部２０５と、増幅した信号を電波として送信するとともに基地局からの信号を受信する送受信アンテナ２０１と、基地局からの制御信号を受信するダウンリンク受信部２０８と、受信した制御信号から制御情報を抽出し保存する制御情報記録部２０６、制御情報記録部２０６に記録された前記第一のアップリンク周波数や前記第二のアップリンク周波数等のパラメータを前記ＯＦＤＭ信号受信部２０２やＯＦＤＭ周波数変換部２０３に供給するとともに、リピータ装置全体の制御を行う制御部２０７と、を備えて構成される。
【００３８】
次に、ＯＦＤＭ信号受信部２０２およびＯＦＤＭ周波数変換部２０３の動作について図２及び図３を用いて説明する。
【００３９】
図３に示すように、ＯＦＤＭ信号受信部２０２の入力側には、携帯端末１０４から、上述したように無線通信システムで定められる所定の上りリンクの帯域幅Ｗの５分の１の受信帯域幅ｆ０を使用して生成されたＯＦＤＭ信号が入力される。ＯＦＤＭ信号受信部２０２は、入力したＯＦＤＭ信号を一旦、受信帯域幅がｆ０、中心周波数がｆｃであるバンドパスフィルタに通過させて、この帯域幅以外の余分な周波数成分を除去する。
【００４０】
さらに、ＯＦＤＭ周波数変換部２０３は、上記バンドパスフィルタを通過して得られる中心周波数がｆｃであるＯＦＤＭ信号（帯域幅ｆ０）と中心周波数がｆ１、ｆ２、ｆ３、ｆ４であるキャリアとを乗算することによって、入力側の受信中心周波数ｆｃをそれぞれｆ１＋ｆｃ、ｆ２＋ｆｃ、ｆ３＋ｆｃ、ｆ４＋ｆｃに周波数シフトする。これら周波数シフトされた４つの帯域幅に含まれるＯＦＤＭ信号を合成器２０４により合成して、周波数変換されたＯＦＤＭ信号を生成する。
【００４１】
このように、入力側の受信帯域幅ｆ０を有するＯＦＤＭ信号は、それぞれ周波数がｆ０だけ離れた４つ周波数領域に振り分けられて合成されるため、高い周波数ダイバーシティ特性を持ち、周波数選択性フェージングに対して強い信号となる。
【００４２】
また、図３に示すように、入力側の受信帯域ｆ０と最下位の中心周波数（シフト周波数）であるｆ４による送信帯域間に、中心周波数ｆ４を調節することによって、周波数ギャップＧｆを設け、送受信間の周波数分離を容易にすることもできる。
【００４３】
このように、上述したように、リピータ装置１０３より送信されるＯＦＤＭ信号は、周波数選択性フェージングに対して強い信号となり、リピータ装置に入力される信号と使用周波数を変えることにより、出力側から入力側への干渉による不安定性を解消することが可能となる。携帯端末１０４は少ない消費電力で高速のトラフィックデータをアップリンクで送信することが可能となる。
【００４４】
次に、図２で示した直接、ＯＦＤＭ信号をキャリア周波数によりシフトするように構成したリピータ装置１０３のＯＦＤＭ信号受信部２０２とＯＦＤＭ周波数変換部２０３に代わる構成例について図４を用いて説明する。
【００４５】
図４（ａ）は、ＯＦＤＭ信号受信部２０２に代わるブロック図であり、（ｂ）は、ＯＦＤＭ周波数変換部２０３に代わるブロック図である。
【００４６】
図４（ａ）及び（ｂ）は、通常のＯＦＤＭ信号を送受信する受信機，送信機の構成とほぼ同じであり、この構成を本実施形態のリピータ装置のＯＦＤＭ信号受信部２０２及びＯＦＤＭ周波数変換部２０３に応用したものである。
【００４７】
以下に、ＯＦＤＭ信号受信部２０２ａ及びＯＦＤＭ周波数変換部２０３ａの動作について簡単に説明する。
【００４８】
携帯端末１０４からのＯＦＤＭ信号を受信したＯＦＤＭ信号受信部２０２ａでは、ＲｅｍｏｖｅＧＩ４０１（ＧＩ除去部）のブロックにより、タイミング検出器４００の制御の下、ＯＦＤＭシンボルすなわちＦＦＴ処理単位の切り出しが行われ、切り出されたＯＦＤＭシンボルは、Ｓ／Ｐ（Ｓｅｒｉａｌ／Ｐａｒａｌｌｅｌ：シリアル／パラレル変換部）４０２によりシリアルデータからパラレルデータに変換された後、高速フーリエ変換部（以下、「ＦＦＴ（Ｆａｓｔ  Ｆｏｕｒｉｅｒ  Ｔｒａｎｓｆｏｒｍ）」と呼ぶ）４０３によって、ＦＦＴ処理されて各サブキャリア成分が抽出される。抽出された各サブキャリア成分は、等化器４０４により伝送路中で伝搬する際等で生じた周波数の歪が修正されて、ＯＦＤＭ周波数変換部２０３ａに入力される。
【００４９】
ＯＦＤＭ周波数変換部２０３ａでは、各サブキャリア成分に対応するバッファ４０５に蓄えられた後、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換部）４０６により逆ＦＦＴされ、Ｐ／Ｓ（Ｐａｒａｌｌｅｌ／Ｓｅｒｉａｌ：パラレル／シリアル変換部）４０７によって時間信号列に変換される。さらに、ＡｄｄＧＩ４０８（ＧＩ付加部）のブロックでガードインターバルＧＩが追加されて、ダイバーシティ効果を有するＯＦＤＭ信号となり、基地局１０１に対して送信される。
【００５０】
この場合、ＯＦＤＭ周波数変換部２０２ａの等化器４０４から出力されるキャリア成分は、２０３ａにおいて４つの異なる周波数領域ｆ１〜ｆ４に対応するバッファ４０５に入力されて、ＩＦＦＴ４０６においてまとめてＩＦＦＴ処理される。これにより、帯域幅ｆ０の等化器出力信号はそれぞれの周波数領域にシフトされ、合成されてＩＦＦＴ処理された信号となる。ＩＦＦＴ処理された信号は、Ｐ／Ｓ４０７においてＰ／Ｓ変換により時間系列の信号となりＡｄｄＧＩ４０８のブロックでＧＩが追加されてＯＦＤＭ信号となる。
【００５１】
このようにして、前述したＯＦＤＭ周波数変換部２０３と同様に、入力側のＯＦＤＭ信号の周波数帯域と出力側のＯＦＤＭ信号の周波数帯域が異なるとともに、ダイバーシティ効果を持たせることが可能である。
【００５２】
また、図４の構成では、ＦＦＴ４０３とＩＦＦＴ４０６との間に等化器４０４およびバッファ４０５を入れることができるため、携帯端末とリピータ装置間の伝送路における歪を周波数領域で等化して広帯域に拡散することが可能であり、携帯端末と基地局間のトータルの通信路品質を高めることが可能となる。
【００５３】
次に、本実施形態に係るリピータ装置を含むアップリンク伝送の動作フローについて図５を用いて説明する。
【００５４】
携帯端末１０４は、アップリンク伝送路１０５を介して、上りリンクのアクセス要求を基地局１０１に対して送信する（ステップＳ１０）。
【００５５】
次に、携帯端末１０４からのアクセス要求を受けた基地局１０１は、伝搬損失等の測定を行い、携帯端末近隣の適切なリピータ装置を探して、選択し（ステップＳ１１）、アップリンクのアクセス許可を携帯端末１０４に対して、ダウンリンクの伝送路１０６を介して送信する（ステップＳ１２）。
【００５６】
さらに、基地局１０１は、選択したリピータ装置に対して、ダウンリンクの伝送路１０８を介して中継要求を送信する（ステップＳ１３）。
【００５７】
さらに、基地局１０１は、リピータ装置を用いるアップリンク伝送に使用されるパラメータを含む制御情報を送信し（ステップＳ１４）、携帯端末１０４およびリピータ装置１０３で受信する（ステップＳ１５、Ｓ１６）。
【００５８】
リピータ装置１０３は、受信した制御情報からリピータ動作に必要なタイムスロット、携帯端末１０４からリピータ装置１０３へのアップリンク伝送に使用する受信帯域幅ｆ０、リピータ装置から基地局へのアップリンク伝送に使用するシフト周波数ｆ１〜ｆ４等の各パラメータを取得する（ステップＳ１６）。
【００５９】
このように、取得した各パラメータは、リピータ装置の制御部２０７によって、ＯＦＤＭ信号受信部２０２およびＯＦＤＭ周波数変換部２０３に設定されて、新たな伝送路１０７、１０９が使用可能となる。
【００６０】
携帯端末１０４は伝送路１０９を介して、アップリンクのトラフィックデータをリピータ装置１０３に送信し（ステップＳ１７）、リピータ装置１０３において周波数変換されたＯＦＤＭ信号が伝送路１０７を介して基地局１０１に送信される（ステップＳ１８）。リピータ装置１０３より送信されたアップリンク信号は基地局１０１によって受信され、トラフィックデータが再生される（ステップＳ１９）。
【００６１】
さらに、次のアップリンク伝送に使用されるパラメータを含む制御情報が基地局１０１から送信され（ステップＳ２０）、携帯端末１０４及びリピータ装置１０３で受信される（ステップＳ２１、Ｓ２２）。ここで、リピータ装置１０３は、受信された制御情報に基づいて、常時、適切な動作状態を保持する。
【００６２】
＜第２の実施形態の説明＞
図６は、本発明に係る第２の実施形態の無線通信システムにおいてアップリンク用リピータ装置を用いた動作の概要を示す概念図である。
【００６３】
図６に示される本実施形態のシステムでは、図１に示した基地局１０１からリピータ装置１０３へのダウンリンク伝送路１０８がない構成であり、それ以外のシステム構成要素は、第１の実施形態と同じである。
【００６４】
本実施形態のＯＦＤＭアップリンクのためのリピータ装置６００は、特定の携帯端末に対してのみ動作するように第１の実施形態のリピータ装置で行う制御情報の設定を事前に行うリピータ装置であり、基地局からの指令に基づかないノンインテリジェント・リピータ装置である。例えば、住宅６０１内に設置され、個人的な用途に使用されるものと考えられる。また、第１の実施形態のリピータ装置と同様に、非常に電波の状況が悪く、低送信電力では、建物の内部からの高速データ伝送が困難である場合に適用することが考えられる。
【００６５】
図７は本実施形態のリピータ装置６００のブロック図である。図７に示される本実施形態のＯＦＤＭアップリンクのためのリピータ装置６００は、図２に示す構成から、基地局からの制御情報を受信するダウンリンク受信部２０８がない構成となっている。制御情報記録部２０６にはあらかじめ情報端末から送信される周波数および基地局に送信すべき周波数等に関する情報が保存されている。
【００６６】
これらのパラメータは、必ずしも固定値である必要は無く、あらかじめ決められた規則に従って算出されるものであっても構わない。例えば、情報端末から送信されるプリアンブルパターンに応じて、第二のアップリンク周波数が決定されるかもしれない。これによって、基地局からの制御信号を受信するダウンリンク受信機能を省略することが可能となり、安価な装置を実現することが可能となる。さらに、アンテナ２０１ａは送信用となる。これら以外の構成要素は、全て同じである。
【００６７】
従って、本実施形態のリピータ装置６００は、上記したように基地局１０１からの指示を受けて動作するものではなく、あくまでも、上述したように特定の携帯端末１０４に対してのみ動作するものであり、特定の携帯端末に係わる制御情報等は予め制御情報記録部２０６に記憶されている。動作開始状態となった場合に、制御部２０７は、この事前に記録されている制御情報を読み出し、ＯＦＤＭ信号受信部２０２及びＯＦＤＭ周波数変換部２０３に対して、各パラメータを設定する。
【００６８】
次に、本実施形態に係るＯＦＤＭアップリンクのためのリピータ装置を含むアップリンク・システムの動作フローについて図８を用いて説明する。
【００６９】
まず、携帯端末１０４は、上りリンクのアクセス要求を送信するとともに、リピータ装置６００を使用する旨の通知を行う（ステップＳ５１）。上りリンクのアクセス要求を受けた基地局１０１は、携帯端末１０４にアクセス許可、その他制御情報であるタイムスロット、サブキャリア割当て等の情報を携帯端末１０４に通知する（ステップＳ５２）。
【００７０】
携帯端末１０４は、アクセス許可および制御情報を受信しリピータを用いたアップリンク伝送の準備を行う（ステップＳ５３）。
【００７１】
一方、リピータ装置６００は、例えば、電源投入と同時に、特定の携帯端末の設定、端末固有のプリアンブルの設定を行い、ＯＦＤＭ信号から周波数変換ＯＦＤＭ信号の変換を行う準備を行う（ステップＳ５０）。
【００７２】
このようにして、アップリンクのデータ伝送路１０７および１０９が確立される。
【００７３】
携帯端末１０４は伝送路１０９を介して、アップリンクのトラフィックデータをリピータ装置６００に送信し（ステップＳ５４）、リピータ装置６００において周波数変換されたＯＦＤＭ信号が伝送路１０７を介して基地局１０１に送信される（ステップＳ５０）。リピータ装置６００より送信されたアップリンク信号は基地局１０１で受信され、トラフィックデータが再生される（ステップＳ５５）。
【００７４】
さらに、次のアップリンク伝送のためのパラメータを含む制御情報が基地局１０１より送信され（ステップＳ５６）、携帯端末１０４は、制御情報を受信して次のアップリンク伝送の準備を行う（ステップＳ５７）。
【００７５】
以上説明したように、携帯端末の送信時の消費電力を抑え、高速伝送を確保しつつ、周波数選択性フェージングに強いアップリンクの伝送を可能とするシステム及び本システムを構築することが可能なリピータ装置を提供することができる。
【００７６】
尚、本発明のアップリンク用リピータ装置は、上記した実施の形態に限定されるものではなく、本発明の要旨を逸脱しない範囲内において種々変更を加え得ることは勿論である。
【００７７】
また、本発明はアップリンクの伝送に用いるリピータ装置に関連するものであるが、これはダウンリンクにはリピータを用いないということを意味するものではない。本発明のアップリンクのリピータ機能に加えて、ダウンリンクのリピータ機能を併せ持ったリピータ装置も実現可能である。また双方向のリピータ機能を持ったリピータ装置を用いるシステムに対しても、本発明の要旨を逸脱しない範囲内において種々変更を加え得ることは勿論である。
【符号の説明】
【００７８】
１００  公衆網
１０１  基地局
１０２  公共施設
１０３、６００  リピータ装置
１０４  携帯端末
１０５  携帯端末から基地局へのアップリンク伝送路
１０６  基地局から携帯端末へのダウンリンク伝送路
１０７  リピータ装置から基地局へのアップリンク伝送路
１０８  基地局からリピータ装置への制御情報のダウンリンク伝送路
１０９  携帯端末からリピータ装置への伝送路
２００  受信アンテナ
２０１  送受信アンテナ
２０１ａ  送信アンテナ
２０２，２０２ａ  ＯＦＤＭ信号受信部
２０３，２０３ａ  ＯＦＤＭ周波数変換部
２０４  合成器
２０５  アップリンク送信部
２０６  制御情報記録部
２０７  制御部
２０８  ダウンリンク受信部
４００  タイミング検出器
４０１  ＲｅｍｏｖｅＧＩ
４０２  Ｓ／Ｐ
４０３  ＦＦＴ
４０４  等化器
４０５  バッファ
４０６  ＩＦＦＴ
４０７  Ｐ／Ｓ
４０８  ＡｄｄＧＩ
６０１  住宅
８００  アップリンクに割り当てられる周波数帯域幅
８０１  携帯端末
８０２  リピータ装置
８０３  基地局
８０４  携帯端末からリピータ装置へのアップリンク伝送路
８０５  リピータ装置から基地局へのアップリンク伝送路
【図１】
2011004419.tif 000003
【図２】
2011004419.tif 000004
【図３】
2011004419.tif 000005
【図４】
2011004419.tif 000006
【図５】
2011004419.tif 000007
【図６】
2011004419.tif 000008
【図７】
2011004419.tif 000009
【図８】
2011004419.tif 000010
【図９】
2011004419.tif 000011